(57)【特許請求の範囲】
【請求項１】
ベッドの４辺を構成するフレーム(2)の少なくとも１辺に、柵体(1)を連結してなるベッドであって、以下の全ての構成を有することを特徴とするベッド。
（ａ）  柵体(1)は、水平アーム(3)の下に、複数の支柱(4)を垂直に固定している。
（ｂ）  フレーム(2)は、柵体(1)の支柱(4)を連結する複数の支持ガイド(5)を垂直に固定している。
（ｃ）  支持ガイド(5)は、その内側に、上下に移動できるように支柱(4)を連結している。
（ｄ）  柵体(1)の支柱(4)は、位置決め機構(6)を介して支持ガイド(5)の任意の位置に停止する構造としている。
（ｅ）  位置決め機構(6)は、ピン(8)を介して中間を支柱(4)に連結している停止レバー(7)と、この停止レバー(7)を係止して停止させる係止ストッパ(13)と、停止レバー(7)に連結された弾性体(10)とを備える。
（ｆ）  停止レバー(7)は、支柱(4)の内側に垂直面内で回動できるように装着されると共に、下部には、上下に離されて複数の停止凹部(11)を有し、上部には停止レバー(7)を回動させる操作部(9)を有する。
（ｇ）  係止ストッパ(13)は、支持ガイド(5)に固定されており、停止レバー(7)の停止凹部(11)を案内して、停止凹部(11)を係止して停止レバー(7)の降下を停止する。
（ｈ）  弾性体(10)は、停止凹部(11)を係止ストッパ(13)に案内する方向に停止レバー(7)を付勢している。
（ｉ）  停止レバー(7)は、操作部(9)が操作されると、弾性体(10)が付勢する方向と反対方向に垂直面内で回動される。
（ｊ）  位置決め機構(6)は、操作部(9)が操作されない状態において、弾性体(10)で付勢される停止レバー(7)が、停止凹部(11)を係止ストッパ(13)に係止して、支柱(4)を支持ガイド(5)に停止し、操作部(9)が操作されると、停止レバー(7)が回動されて、停止凹部(11)が係止ストッパ(13)から離れて、支柱(4)を支持ガイド(5)に沿って上下に移動できるように構成されている。
【請求項２】
柵体(1)の支柱(4)を支持ガイド(5)から取り外しできる構造としてなる請求項１に記載されるベッド。
【請求項３】
フレーム(2)に配設される支持ガイド(5)の数が、柵体(1)の支柱(4)の数よりも多く、柵体(1)とフレーム(2)の連結位置をフレーム(2)の延長方向に変更できるようにしてなる請求項２に記載されるベッド。
【請求項４】
支柱(4)が支持ガイド(5)の上限位置よりも上昇するのを阻止する停止ストッパ(26)を備える請求項１に記載されるベッド。
【請求項５】
停止レバー(7)に設けられた複数の停止凹部(11)が、係止ストッパ(13)に当接して停止レバー(7)の降下を阻止する引掛部(11A)と、下方に向かって次第に外側に突出する傾斜面(11B)とを有し、傾斜面(11B)を係止ストッパ(13)に沿って摺動させて、操作部(9)を操作することなく停止レバー(7)を回動させて支柱(4)を上昇させるようにしてなる請求項１に記載されるベッド。
【請求項６】
支持ガイド(5)が、支柱(4)を上下に移動できる溝型で、この溝型の支持ガイド(5)の開口端縁を連結する状態で支持プレート(14)が固定されており、さらに、この支持プレート(14)に係止ストッパ(13)を固定して、係止ストッパ(13)を所定の位置に配設してなる請求項１に記載されるベッド。
【請求項７】
複数の支柱(4)に配置された操作部(9)を連結ロッド(25)で連結している請求項１に記載されるベッド。
【発明の詳細な説明】
【技術分野】
【０００１】
本発明は、ベッドの改良に関し、とくに、ベッドの４辺を構成するフレームに配置される柵体の位置や高さを自由に変更できるベッドに関する。
【背景技術】
【０００２】
両側に側柵を備えるベッドは既に開発されている。ベッドの両側に配置される側柵は、ベッドから布団や毛布が落ちるのを防止する。また、子供や老人が誤ってベッドから落ちるのを防止するはたらきもある。したがって、両側に側柵を備えるベッドは、就寝中には、以上の特長が生かされて、極めて便利に使用でき、快適な睡眠が得られる。ただ、ベッドの両側に配置される側柵は、ベッドに昇ったり、あるいはベッド降りるときには邪魔になる。したがって、従来のベッドでは、両側の側柵を取り外しできる構造としている。
【０００３】
側柵を取り外しできるベッドは、ベッドに昇り降りするときには、側柵を取り外して楽に昇降でき、就寝するときには、側柵を取り付けて布団や毛布等の落下を有効に防止できる。ただ、側柵を取り外しする構造は、取り外した側柵が邪魔になる欠点がある。取り外した側柵は、たとえば、ベッドの脇に立てかけて置き、あるいは、ベッドの上に置かれる。このように、取り外された側柵は、一時的に置く場所を必要とするので、極めて不便である。とくに、病院等で使用されるベッドでは、取り外した側柵が床に倒れると大きな音がするので、他の病人の迷惑になる問題点もある。
【０００４】
以上のような問題点を解決するベッドとして、柵体を昇降できるベッドが開発されている（特許文献１及び２参照）。
【特許文献１】特開平７−２９８９５９号公報
【特許文献２】特開２０００−１２６２４９号公報
【発明の開示】
【発明が解決しようとする課題】
【０００５】
特許文献１の公報に記載されるベッドは、矩形型のベッドフレームを有し、このベッドフレームに柵体を設けている。このベッドは、図１に示すように、柵体５１の上下方向に沿ってガイド軸５３を設けており、このガイド軸５３をベッドフレーム５２にスライド自在に保持している。さらに、このベッドは、柵体５１を上昇位置と降下位置とに保持できるように、ガイド軸５３の下端部に段差部を介して小径軸部５４を形成すると共に、ベッドフレーム５２にはガイド軸５３の段差部に係合して柵体５１を降下不能に保持するストッパばね（図示せず）を配設し、さらに、ガイド軸５３の小径軸部５４には、柵体５１をストッパばねによって保持された所定の上昇位置からさらに上昇させることでストッパばねと段差部との係合状態を解除してガイド軸５３を下降可能とするガイドブッシュ５５をスライド自在に配設している。
【０００６】
この構造のベッドは、柵体を上昇位置とする状態では、ガイド軸の段差部がストッパばねに係合して保持され、保持状態を解除する場合には、柵体を保持された上昇位置よりもさらに上昇させることで、ガイドブッシュによってストッパばねが弾性変形されて係合状態が解除される。このため、柵体は、上下方向にスライドさせるだけで、上昇位置で保持したり、下降させることができ、操作が容易で、また、とくに複雑な構成を用いることなく低コストに製造できる特長もある。
【０００７】
この構造のベッドは、簡単な構造として、柵体を上下に移動できると共に、その上昇位置と下降位置とに停止できる特徴がある。ただ、この構造のベッドは、柵体を上昇位置と下降位置の２箇所にしか停止できない。したがって、柵体の高さを自由に調整できない欠点がある。ベッドは、柵体の高さを自由に変更できると、さらに、便利に使用できる。
【０００８】
柵体の高さを自由に変更できるベッドが特許文献２の公報に記載される。このベッドは、図２に示すように、ヘッドボード６１とフットボード６２のそれぞれの両端側に鉛直方向に設けた案内溝６３と、これらの案内溝６３の下端側間に介設した下桟部材６４と、両端側をヘッドボード６１とフットボード６２の案内溝６３に沿って昇降可能に装着した上桟部材６５と、この上桟部材６５の端部側を案内溝６３の任意の位置に保持するストッパ手段６６とを備えている。さらに、このベッドは、下桟部材６４と上桟部材６５との間に、所定間隔毎で伸縮可能に複数の伸縮支柱６７を配置している。この伸縮支柱６７は、基部側を一方向に起伏可能に上桟部材６５に連結すると共に、先端側を一方向とは反対側に起伏可能に下桟部材６４に取り付けている。
【０００９】
この構造のベッドは、上桟部材６５の両端部を、ストッパ手段６６を介して案内溝６３の任意の位置に保持できるので、上桟部材６５の高さを自由に変更できる特長がある。また、上桟部材６５の高さに応じて、下桟部材６４と上桟部材６５の間に配置した伸縮支柱６７の傾きや長さが自由に変更されるので、上桟部材６５の上下位置を無理なく変更できる特長がある。すなわち、この構造のベッドは、下桟部材６４と上桟部材６５と複数の伸縮支柱６７とで柵体６０を構成し、上桟部材６５の上下位置を変更して柵体６０の高さを変更できる構造としている。
【００１０】
ただ、この構造のベッドは、ベッドの四隅部に鉛直方向に設けた案内溝６３に沿って、ストッパ手段６６の保持具６８を上下に移動させるので、柵体６０をベッドの一辺の全体にわたって設ける必要がある。とくに、図に示すように、ベッドの長辺側である側辺に柵体を設ける構造においては、柵体の全長を長くする必要がある。このように全長が長くなる柵体は、重量が重くなるばかりか、構造が複雑になり、さらには製造コストも高くなる。また、長い上桟部材の両端に保持具を配置するので、両端の保持具を両手でもって一度に操作できない問題点もある。通常、ベッドの全長は１８０ｃｍ以上あるので、これとほぼ等しい長さの柵体の両端に設けた保持具を一人で同時に操作することはできない。したがって、このベッドは、柵体に設けた保持具をひとつずつ交互に操作しながら柵体を上下動させる必要があり、簡単に操作できない欠点がある。また、両端の保持具の連結位置がずれると、柵体の上桟部材を水平にできなくなる問題点がある。柵体の上桟部材を水平とする正確な位置に、両端の保持具の連結位置を微調整するのは面倒である。また、このベッドは、保持具を上下に移動させる案内溝を設ける部材をベッドの四隅部に設ける必要があるので、たとえば、フットボードのないベッドや四隅に支柱のないベッドには採用することができない問題点もある。
【００１１】
さらに、以上の構造のベッドは、柵体を上下に移動させて、上昇位置と降下位置とに保持する機構の性質上、柵体をベッドのフレームから取り外すことができない。ベッドは、柵体をフレームから取り外しできる構造とすると、さらに、便利に使用できる。
【００１２】
本発明は、以上のような問題点を解決するために開発されたものである。本発明の重要な目的は、極めて簡単な構造で製造コストを安価にしながら、ベッドの柵体の高さを自由に変更できるベッドを提供することにある。
さらに、本発明の他の大切な目的は、柵体の高さを自由に変更できる構造としながら、柵体をフレームから取り外しすることも可能であるベッドを提供することにある。
【課題を解決するための手段】
【００１３】
本発明のベッドは、４辺を構成するフレーム２の少なくとも１辺に、柵体１を連結しており、以下の全ての構成を有することを特徴としている。
（ａ）  柵体１は、水平アーム３の下に、複数の支柱４を垂直に固定している。
（ｂ）  フレーム２は、柵体１の支柱４を連結する複数の支持ガイド５を垂直に固定している。
（ｃ）  支持ガイド５は、その内側に、上下に移動できるように支柱４を連結している。
（ｄ）  柵体１の支柱４は、位置決め機構６を介して支持ガイド５の任意の位置に停止する構造としている。
（ｅ）  位置決め機構６は、ピン８を介して中間を支柱４に連結している停止レバー７と、この停止レバー７を係止して停止させる係止ストッパ１３と、停止レバー７に連結された弾性体１０とを備える。
（ｆ）  停止レバー７は、支柱４の内側に垂直面内で回動できるように装着されると共に、下部には、上下に離されて複数の停止凹部１１を有し、上部には停止レバー７を回動させる操作部９を有する。
（ｇ）  係止ストッパ１３は、支持ガイド５に固定されており、停止レバー７の停止凹部１１を案内して、停止凹部１１を係止して停止レバー７の降下を停止する。
（ｈ）  弾性体１０は、停止凹部１１を係止ストッパ１３に案内する方向に停止レバー７を付勢している。
（ｉ）  停止レバー７は、操作部９が操作されると、弾性体１０が付勢する方向と反対方向に垂直面内で回動される。
（ｊ）  位置決め機構６は、操作部９が操作されない状態において、弾性体１０で付勢される停止レバー７が、停止凹部１１を係止ストッパ１３に係止して、支柱４を支持ガイド５に停止し、操作部９が操作されると、停止レバー７が回動されて、停止凹部１１が係止ストッパ１３から離れて、支柱４を支持ガイド５に沿って上下に移動できるように構成されている。
【００１４】
本発明のベッドは、柵体１の支柱４を支持ガイド５から取り外しできる構造とすることができる。さらに、本発明のベッドは、フレーム２に配設される支持ガイド５の数を、柵体１の支柱４の数よりも多くして、柵体１とフレーム２の連結位置をフレーム２の延長方向に変更することができる。
【００１５】
本発明のベッドは、支柱４が支持ガイド５の上限位置よりも上昇するのを阻止する停止ストッパ２６を備えることができる。
【００１６】
本発明のベッドは、操作部９を操作することなく支柱４を上昇できる構造とすることができる。このベッドは、停止レバー７に設けられた複数の停止凹部１１が、係止ストッパ１３に当接して停止レバー７の降下を阻止する引掛部１１Ａと、下方に向かって次第に外側に突出する傾斜面１１Ｂとを有し、傾斜面１１Ｂを係止ストッパ１３に沿って摺動させて、操作部９を操作することなく停止レバー７を回動させて支柱４を上昇させる。
【００１７】
本発明のベッドは、支持ガイド５を、支柱４を上下に移動できる溝型とし、この溝型の支持ガイド５の開口端縁を連結する状態で支持プレート１４を固定して、この支持プレート１４に係止ストッパ１３を固定して、係止ストッパ１３を所定の位置に配設することができる。
【００１８】
さらに、本発明のベッドは、複数の支柱４に配置された操作部９を連結ロッド２５で連結して、複数の操作部９を連結ロッド２５で操作することができる。
【発明の効果】
【００１９】
本発明のベッドは、極めて簡単な構造で製造コストを安価にしながら、ベッドの柵体の高さを自由に変更できる特長がある。それは、本発明のベッドが、水平アームの下に複数の支柱を固定した柵体と、フレームに垂直に固定されて、柵体の支柱を上下に移動できるように連結する複数の支持ガイドとを備えており、支持ガイドの内側に連結される支柱を、独特の構造の位置決め機構を介して支持ガイドの任意の位置に停止できる構造としているからである。この位置決め機構は、弾性体で付勢される停止レバーの停止凹部を係止ストッパに係止させて支柱を支持ガイドの所定の位置に停止しており、操作部で停止レバーを回動させて、停止レバーの係止状態を解除して、支柱を支持ガイドに沿って上下に移動させて柵体の高さを調整する構造としている。したがって、極めて簡単な構造としながら、しかも簡単な操作でベッドの柵体の高さを自由に変更できる。
【００２０】
とくに、本発明のベッドは、フレームに固定した支持ガイドに柵体の支柱を連結して、この支柱を位置決め機構で支持ガイドの任意の位置に停止させるので、従来のベッドのように、フレームの端から端まで延長された柵体を設けることなく、好適な長さの柵体として楽に上下に移動できる。
【００２１】
さらに、本発明のベッドは、フレームに固定した支持ガイドに柵体の支柱を連結するので、フレームの隅部に支柱等を立設する必要がなく、すっきりとしたデザインとすることもできる。
【００２２】
さらに、本発明の請求項２のベッドは、柵体の支柱を支持ガイドから取り外しできる構造としているので、必要に応じて柵体をフレームから取り外して便利に使用できる。とくに、本発明の請求項３のベッドは、フレームに配設される支持ガイドの数を、柵体の支柱の数よりも多くしているので、支持ガイドから取り外した支柱を別の支持ガイドに連結して、柵体とフレームの連結位置をフレームの延長方向に変更することができる。
【００２３】
本発明の請求項４のベッドは、支柱が支持ガイドの上限位置よりも上昇するのを阻止する停止ストッパを備えているので、支柱が支持ガイドから引き抜かれるのを確実に阻止できる特長がある。この構造は、柵体を上昇させ過ぎたときに、支柱が不意に支持ガイドから抜けるのを有効に防止できる。
【００２４】
本発明の請求項５のベッドは、操作部を操作することなく柵体を楽に上昇できる特長がある。それは、停止レバーに設けた複数の停止凹部が、係止ストッパに当接して停止レバーの降下を阻止する引掛部と、下方に向かって次第に外側に突出する傾斜面とを有し、傾斜面を係止ストッパに沿って摺動させて停止レバーを回動させて支柱を上昇できるからである。とくに、このベッドは、係止ストッパを停止凹部の傾斜面に沿って摺動させながら支柱を上昇させるので、柵体が段階的に上昇するのを実感しながら所望の位置まで上昇できる特長がある。
【００２５】
本発明の請求項６のベッドは、溝型の支持ガイドの開口端縁を連結する状態で支持プレートを固定して、この支持プレートに係止ストッパを固定しているので、溝型の支持ガイドを支持プレートで補強しながら係止ストッパを所定の位置に配設できる。
【００２６】
さらに、本発明の請求項７のベッドは、複数の支柱に配置された操作部を連結ロッドで連結しているので、複数の操作部を連結ロッドで同時に操作できる特長がある。このベッドは、操作部の操作を楽にして、たとえば、片手で操作部を操作して柵体を移動できる。さらに、このベッドは、連結ロッドで複数の操作部を同時に駆動するので、それぞれの支柱に配置された停止レバーを同時に回動させて、複数の支柱をバランス良く上下動できる。
【発明を実施するための最良の形態】
【００２７】
以下、本発明の実施例を図面に基づいて説明する。ただし、以下に示す実施例は、本発明の技術思想を具体化するためのベッドを例示するものであって、本発明はベッドを以下のものに特定しない。
【００２８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２９】
図３に示すベッドは、ベッドの４辺を構成するフレーム２と、このフレーム２の内側に配置されるマット部４０と、両側のフレーム２に連結される柵体１とを備える。本発明のベッドは、フレームに連結する柵体の連結位置、とくに上下位置を種々に変更するための構造を特徴とするものである。したがって、柵体の構造及びその連結構造以外の構造については、現在すでに開発され、あるいは、今後開発される全ての構造とすることができる。さらに、図３に示すベッドは、フレーム２を木製とする木製フレームのベッドを示している。ただ、本発明のベッドは、フレームを金属製とすることもできる。以下、本発明のベッドのフレームと柵体について、その構造及びこれらの連結構造について詳述する。
【００３０】
フレーム２は、一対のサイドフレーム２Ｂと一対のエンドフレーム２Ａとを備え、一対のサイドフレーム２Ｂの両端をエンドフレーム２Ａで連結して全体の形状を長方形の枠形としている。エンドフレーム２Ａは、頭側に配置されるヘッドフレーム２ａと、足側に配置されるフットフレーム２ｂを備える。図に示すエンドフレーム２Ａは、ヘッドフレーム２ａをフットフレーム２ｂより高くすると共に、幅を広くして、上面に物品を載置できるスペースを設けている。図に示すヘッドフレーム２ａは、上面に照明器具を配置している。このように、種々の物品を配置するスペースを有するヘッドフレーム２ａは、便利に使用できる特長がある。ただ、ヘッドフレームは、必ずしも物品を配置するスペースを設ける必要はない。
【００３１】
図に示すベッドは、両側のサイドフレーム２Ｂに柵体１を連結している。ただ、本発明のベッドは、必ずしも両側のフレームに柵体を連結する必要はなく、少なくとも１辺のフレームに柵体を連結する構造とすることができる。すなわち、本発明のベッドは、片側のサイドフレームに柵体を連結することも、エンドフレームに柵体を連結することもできる。
【００３２】
柵体１は、図３と図４に示すように、水平アーム３の下に複数の支柱４を垂直に固定している。図４に示す柵体１は、水平アーム３の両端部の下面に支柱４を固定している。このように、水平アーム３を、両端部に設けた一対の支柱４で支持する構造は、水平アーム３を安定して水平に支持できる特徴がある。ただ、水平アームは、３本以上の支柱を備えることもできる。
【００３３】
図３に示す柵体１は、水平アーム３を、幅のあるプレートとしている。このように幅のあるプレート状の水平アーム３は、上面をアームレスト等として便利に使用できる特長がある。ただ、柵体は、必ずしもプレート状とする必要はなく、ロッド状とすることもできる。
【００３４】
水平アーム３の全長は、柵体１を連結するフレーム２の長さの２０〜９０％とする。たとえば、図３に示すように、サイドフレーム２Ｂに連結される柵体１においては、水平アーム３の全長をサイドフレーム２Ｂの全長の２０〜６０％、好ましくは、２５〜５０％とする。さらに、図示しないが、エンドフレームに連結される柵体においては、水平アームの全長をエンドフレームの全長の５０〜９０％、好ましくは、６０〜８０％とする。図３に示す柵体１は、これを連結するサイドフレーム２Ｂの全長の約３０％としている。水平アーム３の全長は、両端部に固定される一対の支柱４の間隔を制限する。それは、一対の支柱４が、水平アーム３の両端よりも内側に固定されるからである。水平アーム３の両端部に固定される支柱４の間隔は、水平アーム３の全長の５０〜１００％、好ましくは６０〜９０％とする。サイドフレーム２Ｂに連結される柵体１は、たとえば、水平アーム３の全長を４０〜９０ｃｍとし、一対の支柱４の間隔を３０〜８０ｃｍとする。
【００３５】
柵体１は、水平アーム３を短くすると、柵体全体を小さく軽くして、上下させる操作を楽にできるが、支柱４間の間隔が短くなるので、ベッドから布団や毛布が落ちるのを防止する効果が減少してしまう。逆に、水平アーム３を長くすると支柱４間の間隔を広くして、ベッドから布団や毛布が落ちるのを有効に防止できるが、柵体全体が大きくなって重くなり上下させる操作がやや難しくなる。したがって、これらのことを考慮して、水平アーム３の長さと支柱４間の間隔を前述の範囲とする。さらに、柵体は、図示しないが、両端部に配置される支柱の間にも支柱を設けて、すなわち支柱を３本以上として支柱間の間隔を狭くして、支柱の間から布団や毛布等が落ちるのを有効に防止できる。
【００３６】
支柱４は、図５に示すように、横断面形状をＣ字状とする鉄製の型鋼で製作している。この形状の支柱４は、軽くて強靭にできる特長がある。ただ、支柱４は、金属製の平板や筒体とすることもできる。さらに、支柱４は、上端を水平アーム３に固定している。図４と図５に示す柵体１は、支柱４の上端に固定片１５をＴ字状に固定している。柵体１は、この固定片１５を水平アーム３の下面に固定して、支柱４を水平アーム３に固定している。ただ、柵体は、一対の支柱の上端を金属製の連結プレートで連結し、この連結プレートの上面にプレート状の水平アームを固定することもできる。この構造は、一対の支柱を連結プレートで一体的に強固に連結できる特長がある。さらに、図に示す固定片１５は、上端縁から水平方向に突出して軸方向に延長されてなるフランジ部１６を備える。この固定片１５は、フランジ部１６を介して、水平アーム３の下面により安定して固定できる特長がある。
【００３７】
以上の構造の柵体１は、複数の支柱４が、フレーム２に固定された複数の支持ガイド５に連結されて垂直の姿勢で支持される。したがって、フレーム２は、柵体１の支柱４を連結する複数の支持ガイド５を備える。複数の支持ガイド５は、フレーム２に垂直に固定しており、支柱４を垂直の姿勢で支持できるようにしている。複数の支持ガイド５は、柵体１の支柱４の間隔と等しい間隔で配置している。さらに、支持ガイド５は、支柱４を上下に移動させながら、これを倒れないように支持する十分な長さを有する。支持ガイド５の長さは、たとえば、ベッドのフレーム２の高さとほぼ等しく、あるいはこれよりやや短くすることができる。また、支持ガイド５に連結される支柱４の長さは、支持ガイド５の長さとほぼ等しくし、あるいはやや短くして、柵体１を最も降下させた状態で、水平アーム３の下面がフレーム２の上面に接近するようにしている。ただ、支柱の長さは、柵体の上方への突出量、すなわち高さを決定する。したがって、支柱は、柵体の上限位置を考慮して最適な長さに決定する。支柱は、たとえば、２０〜４０ｃｍとすることができる。
【００３８】
フレーム２は、図４に示すように、上面に位置する表面板１７と、支持ガイド５に沿って表面板１７から下方に配置される側板１８とを備える。表面板１７は、貫通孔１９を開口しており、この貫通孔１９から支持ガイド５の開口部を表出させている。フレーム２は、たとえば、表面板１７を装飾板として、上面の外観を良くすると共に、この表面板１７に貫通孔１９を開口して、支持ガイド５の上端開口部を表出させている。このように、支持ガイド５の上端をフレーム２の上面と同一面とする構造は、水平アーム３をフレーム２の上面まで降下させることができる。ただ、支持ガイドは、フレームの上面から多少は突出させることもできる。支持ガイド５は、両側に設けた固定プレート２０を介して、フレーム２を構成する側板１８の表面にネジ止め等の方法で垂直に固定している。
【００３９】
図３に示すベッドは、両側に位置する各サイドフレーム２Ｂの３箇所に支持ガイド５を配設している。このベッドは、後述するが、柵体１をフレーム２から取り外しできる構造として、柵体１の連結位置を図において左右に変更できるようにしている。すなわち、３箇所に設けられる支持ガイド５は、左側の２箇所に柵体１の支柱４を連結する状態と、右側の２箇所に柵体１の支柱４を連結する状態の２通りの連結状態で使用できる。ただ、支持ガイドは、１辺のフレームの２箇所に設けて、柵体の連結位置を特定することも、４箇所以上に設けて、柵体の連結位置を種々に変更することもできる。ただし、どの場合においても、複数の支持ガイドの間隔は、複数の支柱を連結できる間隔とする。
【００４０】
支持ガイド５は、その内側に支柱４を配設して、支柱４を上下に移動できるように連結する。したがって、支持ガイド５は、支柱４を上下に移動させながら、これを倒れないように支持する十分な長さを有する。支持ガイド５の長さは、たとえば、ベッドのフレーム２の高さとほぼ等しく、あるいはこれよりやや短くすることができる。支持ガイド５は、図５の断面斜視図と図６の水平断面図に示すように、支柱４を摺動自在に配設する溝型である。図５に示す支持ガイド５は、金属板をプレス加工して製造したもので、両側縁部を折曲して側壁２１を設けて溝形に成形している。さらに、支持ガイド５は、側壁２１の側縁から外側に突出して、フレーム２の側板１８に固定する固定プレート２０を設けている。固定プレート２０は、図４に示すように、上部と下部の両側に設けている。この構造の支持ガイド５は、図４に示すように側板１８に固定した状態で、溝側の支持ガイド５と側板１８との間に筒状の空間を形成する。この空間に柵体１の支柱４を挿入して、支柱４を支持ガイド５で垂直の姿勢に保持しながら、支持ガイド５に沿って支柱４を上下に移動できるようにしている。ただ、支持ガイドは筒体とすることもできる。
【００４１】
支柱４と支持ガイド５は、図５に示すように、位置決め機構６を介して、柵体１の支柱４を任意の位置に停止できる構造としている。ただし、この図は、図４に示す支柱４と支持ガイド５の連結部分を反対側から見た図であって、構造を理解しやすいように、側板１８を取り除いた状態を示している。さらに、図５は、図４において右側に位置する支柱４と支持ガイド５の位置決め機構６を示している。図４において左側に位置する支柱４と支持ガイド５の位置決め機構６は、図５に示す位置決め機構６を左右対称に配置したものである。したがって、図５に示す各部材と同じ構成要件については、同符号を付してその説明を省略する。
【００４２】
図５に示す位置決め機構６は、ピン８を介して中間を支柱４に連結している停止レバー７と、この停止レバー７を係止して停止させる係止ストッパ１３と、停止レバー７に連結された弾性体１０とを備える。
【００４３】
停止レバー７は、厚い金属板を所定の形状に加工したもので、図４ないし図６に示すように、支柱４の内側に、垂直面内で回動できるようにピン８を介して連結している。さらに、停止レバー７は、図４と図５に示すように、支柱４を所定の位置で停止させるために、その下部に、上下に離して複数の停止凹部１１を設けている。さらにまた、停止レバー７は、上端部に、停止レバー７を回動させる操作部９を設けている。
【００４４】
停止レバー７を支柱４に連結するピン８は、図６の断面図に示すように、支柱４の内側に突出させる形状にプレス加工した山型凸部２２の先端部に固定される。ピン８は、山型凸部２２を貫通して山型凸部２２から突出して固定される。図のピン８は、山型凸部２２の下面にできる凹部に鍔８Ａを配設し、停止レバー７を貫通する先端には、Ｅリング２３等を連結して、停止レバー７を抜けないように連結している。この構造で、支柱４に停止レバー７を連結するピン８は、鍔８Ａを凹部に配設するので、支柱４の表面から突出しない。このため、支柱４を支持ガイド５の内側でスムーズに移動できる。さらに、山型凸部２２の先端に配設される停止レバー７は、支柱４の内面から多少離されて、よりスムーズに回動できる。
【００４５】
複数の停止凹部１１は、停止レバー７の下部に一定の間隔で設けている。これ等の停止凹部１１は、停止レバー７の側縁を、停止レバー７の回動方向に切削して設けている。停止凹部１１は、図５に示すように、係止ストッパ１３に案内された状態で、停止レバー７を所定の位置に係止して停止レバー７が降下するのを阻止する。したがって、図に示す停止凹部１１は、係止ストッパ１３を係止できるように、上部に引掛部１１Ａを形成している。引掛部１１Ａは、凹部の底の部分から上側の開口縁に向かって延長されており、係止ストッパ１３の上面に当接して停止レバー７を係止できる形状としている。
【００４６】
さらに、停止凹部１１は、下方に向かって次第に外側に突出する傾斜面１１Ｂを有する。図に示す傾斜面１１Ｂは、凹部の底の部分から下側に位置する停止凹部１１の開口端縁に向かって設けられている。このように、停止凹部１１の下部に傾斜面１１Ｂを有する停止レバー７は、係止ストッパ１３の下面が停止凹部１１で係止されないので、操作部９で停止レバー７を回動させることなく、係止ストッパ１３に沿って傾斜面１１Ｂを摺動させて、停止レバー７を上方にスライドさせることができる。したがって、天板を引き上げるときに、操作部９を操作して停止レバー７を回動させる必要がない。
【００４７】
ただ、停止凹部は、かならずしも、傾斜面を設ける必要はない。図７に示すように、下部にも引掛部１１Ａを設けて、隣接する停止凹１１部の間の端面を垂直面とすることもできる。この形状の停止凹部１１は、係止ストッパ１３の上面だけでなく下面も引掛部１１Ａで係止できるので、停止凹部１１が係止ストッパ１３に案内された状態で停止レバー７が上下に移動するのを確実に阻止できる。この停止レバー７は、操作部で回動されると係止状態が解除されて上下に移動される。
【００４８】
さらに、図５に示す停止凹部１１は、底部を湾曲させているが、停止凹部は、図８と図９に示す形状とすることもできる。図８に示す停止凹部１１は、直線上に形成された引掛部１１Ａと傾斜面１１Ｂとで構成している。この形状の停止凹部１１は、極めて簡単に加工できる。さらに、図９に示す停止凹部１１は、底部を垂直面とすると共に、傾斜面１１Ｂの下端と、下に位置する停止凹部１１の開口縁との間にも垂直面を設けている。この形状の停止凹部１１は、引掛部１１Ａの強度を強くして、この部分が破損したり変形するのを有効に防止できる。
【００４９】
操作部９は、停止レバー７の上端部に設けられており、これを操作して停止レバー７を回動させる。図５に示す操作部９は、停止レバー７の上端部を折曲加工して設けている。この操作部９は、Ｌ字状に裁断された停止レバー７の上端部を、水平な姿勢となるように、支柱４の開口部側に折曲して設けている。この形状の操作部９は、横断面形状がＣ字状の支柱４の内部から、簡単に外部に引き出しできる特長がある。さらに、停止レバー７の上端部を折曲加工して設けられる操作部９は、停止レバー７を直接に駆動して回動できる特長がある。
【００５０】
さらに、図に示す操作部９は、先端に操作レバー２４を連結している。操作レバー２４は、たとえば、プラスチックを所定の形状に成形したもので、水平方向に延長して連結されている。操作レバー２４は、好ましくは、水平な板状として便利に操作できる。先端に操作レバー２４を有する操作部９は、操作時に手に加わる衝撃をやわらげて、しかも、操作を簡単にできる特長がある。
【００５１】
図３に示す停止レバー７は、上端部の操作部９を水平アーム３の下方に配設している。操作部９を水平アーム３の下方に接近して配設している柵体１は、水平アーム３を持ちながら操作部９を操作できる特長がある。このベッドは、水平アーム３を持つ手で操作部９を引き上げて、位置決め機構６のロック状態を解除しながら、簡単に柵体１を上下に移動できる。
【００５２】
さらに、図４に示すように、両側に２組の位置決め機構６を設けている柵体１は、各々の支柱４に設けられる停止レバー７を、図において左右対称な形状としている。両側に配設される２組の停止レバー７が互いに対称な形状である柵体１は、一対の支柱４から左右対称な方向に折曲加工された操作部９が引き出されるので、柵体１を上下移動させるときに、各々の操作部９を両手でつかんで便利に操作できると共に、バランス良く上下移動できる特徴がある。この停止レバー７は、操作部９を折曲加工するときに、上端部を折曲する方向を逆にすることによって、互いに対称な形状の停止レバー７を簡単に製造できる。図３に示す柵体１は、左右に位置する各停止レバー７の操作部９を、一対の支柱４の内側に向かって突出させている。ただ、柵体は、左右に位置する各停止レバーの操作部を、一対の支柱の外側に向かって突出させることもできる。
【００５３】
さらに、柵体は、左右に配置する位置決め機構を必ずしも左右対称な形状とする必要はなく、左右に位置する各停止レバーの操作部を同じ方向に突出させることもできる。また、左右に位置する位置決め機構を同じ形状として、各停止レバーの操作部を同じ方向に突出させることもできる。
【００５４】
以上の構造の柵体１は、左右に位置する操作レバー２４を両手で同時に引き上げて左右に位置する操作部９を操作する。ただ、柵体１は、図１０に示すように、左右に配置される操作部９を連結ロッド２５で連結し、この連結ロッド２５を介して左右の操作部９を同時に操作することもできる。この図に示す柵体１は、各支柱４に配設された操作部９の先端部を連結ロッド２５で互いに連結している。連結ロッド２５は、両端を折曲しており、この折曲部を各操作部９の先端部に連結している。各操作部９は、連結ロッド２５の折曲部を挿入する連結穴を開口しており、連結穴に折曲部を連結している。図に示す操作部９は、引き上げられる連結ロッド２５で同時に駆動されて停止レバー７を回動できるように、先端が降下する傾斜姿勢としている。ただ、連結ロッドと操作部は、左右の操作部を同時に駆動して、各停止レバーを同時に回動できる他の全て構造で連結することができる。以上の構造は、１本の連結ロッド２５で複数の操作部９を同時に駆動できる特長がある。とくに、片手で便利に操作できる特長がある。さらに、図示しないが、連結ロッドは、ガイドスリット等を介して、正確に上下に移動できるように柵体に連結することもできる。
【００５５】
係止ストッパ１３は、支持ガイド５に固定されており、上下移動する停止レバー７を係止して所定の位置に停止させる。したがって、係止ストッパ１３は、天板１と支柱４の荷重が加わる停止レバー７を支持できる十分な強度を有する。図５に示す係止ストッパ１３は、支持プレート１４を介して支持ガイド５に固定されている。図に示す係止ストッパ１３は、円柱状の凸部で、支持プレート１４の内面に、支柱４の内面に向かって突出する状態で固定されている。ただ、係止ストッパ１３は、図９に示すように、角柱状の凸部とすることも、図８に示すように、停止凹部１１を係止できる突出プレートとすることもできる。支持プレート１４は、金属板で、溝型の支持ガイド５の開口端縁を連結する状態で支持ガイド５に固定している。支持プレート１４は、係止ストッパ１３を所定の位置に配設すると共に、溝型の支持ガイド５から支柱４が外に出るのを阻止している。
【００５６】
弾性体１０は、操作部９を操作しないときに、停止レバー７の停止凹部１１を支持ガイド５の係止ストッパ１３に向かって押圧する方向に付勢している。図５の弾性体１０は、停止レバー７の下部を図において左方向に押圧する押しバネである。押バネである弾性体１０は、一端を停止レバー７に連結して、他端を支柱４の内面に連結している。弾性体は、図示しないが、押しバネに代わって板バネやゴム状弾性体も使用できる。さらに、弾性体は、停止レバーの上部を図において右に引っ張るコイルスプリングも使用できる。弾性体は、停止レバーを回動させて、停止凹部を支持ガイドの係止ストッパに弾性的に押圧するすべてのものが使用できる。
【００５７】
弾性体１０で所定の方向に付勢される停止レバー７は、図５で示すように、停止凹部１１が係止ストッパ１３に案内されて係止状態に保持される。操作部９の操作レバー２４を矢印Ａで示す方向に引き上げると、停止レバー７がピン８を中心として、弾性体１０が付勢する方向と反対の方向（図において反時計回り）に回動して、停止レバー７の下部を矢印Ｂで示す方向に回動させる。この状態で、停止凹部１１は、係止ストッパ１３から離れて停止レバー７の係止状態が解除される。停止レバー７の係止状態が解除されると、支柱４を自由に上下に移動できる状態となって、柵体１の高さが調整される。
【００５８】
以上の構造のベッドは、以下のようにして、柵体１を最も便利な高さに調整する。
(1)  操作部９の操作レバー２４を引き上げないとき、停止レバー７は弾性体１０に押圧されて、停止凹部１１を支持ガイド５の係止ストッパ１３に係止している。この状態にあっては、停止レバー７が支柱４の降下を阻止する。したがって、柵体１は降下しないように、フレーム２に連結される。
【００５９】
(2)  柵体１の両側に配設されている操作部９の操作レバー２４を引き上げると、停止レバー７がピン８を中心として回動する。停止レバー７が回動されると、その下部に設けられた停止凹部１１が、支持ガイド５の係止ストッパ１３から外れる。この状態になると、停止レバー７が柵体１の支柱４を停止しなくなるので、柵体１を自由な位置まで昇降できる。柵体１を所定の高さに調整した後、操作部９の操作レバー２４を離すと、弾性体１０が停止レバー７を回動させて、最寄りの停止凹部１１を支持ガイド５の係止ストッパ１３に係止させる。このため、柵体１は調整された高さに停止される。
【００６０】
ただ、停止レバー７の停止凹部１１に傾斜面１１Ｂを設けたベッドは、操作部９を操作することなく天板１を上昇させることもできる。停止レバー７の傾斜面１１Ｂを係止ストッパ１３に沿って摺動させながら、支柱４を上昇できるからである。このベッドは、柵体１を降下させるときに、(1)で述べたように操作部９を操作して所望の高さで停止させる。
【００６１】
さらに、以上の構造のベッドは、以下のようにして柵体の連結位置を変更する。
(1)  前述の柵体の高さを調整するときと同様にして、柵体１を引き上げて支柱４を支持ガイド５から引き抜く。
(2)  図３に示すように、支柱４を連結する支持ガイド５を変更し、すなわち、支柱４の挿入位置を、図において左右方向にずらして所望の位置に挿入する。
(3)  操作部９を操作しながら支柱４を降下させて、柵体１を所望の位置に停止させる。
【００６２】
さらに、図１１に示す位置決め機構６は、支柱４が上限位置よりも上方に移動するのを阻止する停止ストッパ２６を備える。図に示す停止ストッパ２６は、支柱４の下端に設けられた突出部２７と支持プレート１４とで構成される。図に示す支柱４は、下端の表面に２本の止ネジがねじ込まれており、これ等のネジのネジ頭を表面側に突出させて突出部２７としている。ネジ頭を突出部２７とする構造は、極めて簡単に停止ストッパ２６を設けることができる。さらに、図に示す支持プレート１４は、ネジ頭である突出部を案内する凹部１４Ａを設けている。停止ストッパ２６を有する位置決め機構６は、支柱４を上昇させ過ぎたときに、突出部２７が支持プレート１４の凹部１４Ａに当接して、支柱４が上限位置よりも上方に移動するのが阻止される。したがって、このベッドは、柵体１を上昇させ過ぎたときに、支柱４が不意に支持ガイド５から抜けるのを防止できる。この停止ストッパ２６は、柵体をフレームから取り外しできない構造のベッドに極めて有効に使用できる。
【００６３】
さらに、図のベッドは、マット部３０の下側を有効に利用するために、マット部３０の下方に収納部を備える。図に示すベッドは、この収納部に、引き出し可能な収納ケース４１を配置している。このベッドは、サイドフレーム２Ｂに固定した２本の支持ガイド５の間のスペースを収納ケース３１の収納スペースとして、ここに収納ケース４１を配置している。
【図面の簡単な説明】
【００６４】
【図１】従来のベッドの一例を示す正面図であって、柵体の上昇状態と降下状態とを示す図である。
【図２】従来のベッドの他の一例を示す斜視図である。
【図３】本発明の一実施例にかかるベッドの概略斜視図である。
【図４】図３に示すベッドの柵体とフレームの連結構造を示す側面図である。
【図５】支柱と支持ガイドの連結構造を示す断面斜視図である。
【図６】図５に示す支柱と支持ガイドの連結構造を示すＡ−Ａ線断面図である。
【図７】停止レバーと係止ストッパの他の一例を正面図である。
【図８】停止レバーと係止ストッパの他の一例を正面図である。
【図９】停止レバーと係止ストッパの他の一例を正面図である。
【図１０】本発明の他の実施例にかかるベッドの柵体とフレームの連結構造を示す側面図である。
【図１１】本発明の他の実施例にかかるベッドの支柱と支持ガイドの連結構造を示す断面斜視図である。
【符号の説明】
【００６５】
１…柵体
２…フレーム            ２Ａ…エンドフレーム    ２Ｂ…サイドフレーム
２ａ…ヘッドフレーム    ２ｂ…フットフレーム
３…水平アーム
４…支柱
５…支持ガイド
６…位置決め機構
７…停止レバー
８…ピン                ８Ａ…鍔
９…操作部
１０…弾性体
１１…係止凹部          １１Ａ…引掛部          １１Ｂ…傾斜面
１３…係止ストッパ
１４…支持プレート      １４Ａ…凹部
１５…固定片
１６…フランジ部
１７…表面板
１８…側板
１９…貫通孔
２０…固定プレート
２１…側壁
２２…山型凸部
２３…Ｅリング
２４…操作レバー
２５…連結ロッド
２６…停止ストッパ
２７…突出部
３０…マット部
３１…収納ケース
５１…柵体
５２…ベッドフレーム
５３…ガイド軸
５４…小径軸部
５５…ガイドブッシュ
６０…柵体
６１…ヘッドボード
６２…フットボード
６３…案内溝
６４…下桟部材
６５…上桟部材
６６…ストッパ手段
６７…伸縮支柱
６８…保持具
【図１】
0004615383.tif 000002
【図２】
0004615383.tif 000003
【図３】
0004615383.tif 000004
【図４】
0004615383.tif 000005
【図５】
0004615383.tif 000006
【図６】
0004615383.tif 000007
【図７】
0004615383.tif 000008
【図８】
0004615383.tif 000009
【図９】
0004615383.tif 000010
【図１０】
0004615383.tif 000011
【図１１】
0004615383.tif 000012